(57)【要約】  本発明は、プリアンブルを測定して効果的なスリープ周期を決定するワイブロ端末機および方法に関し、ワイブロ端末機では、Ｎ１フレームの間のスリープモード動作後のＬフレームの間のリスニングモードでプリアンブル信号の大きさを測定して閾値と比較した結果に応じて、Ｎ１フレームまたは２×Ｎ１フレームのスリープモードで動作したり、ＭＯＢ＿ＴＲＦ＿ＩＮＤがポジティブのときにはノーマル動作したりできる。
2009522842.tif 000002
【特許請求の範囲】
【請求項１】
Ｎ１（Ｎ１は自然数）フレームの間スリープモードで動作するステップと、
前記スリープモードで動作した後にＬ（Ｌは自然数）フレームの間リスニングモードで動作するステップと、
前記リスニングモードで前記プリアンブル信号の大きさを測定して閾値と比較するステップと、
前記比較した結果に応じて前記Ｎ１フレームの間のスリープモードまたは前記Ｎ１フレームの２倍の間のスリープモード動作を制御するステップと、
基地局から受信された一定の指示信号に応じてノーマル動作するステップと、
を含み、
前記閾値は、前記複数のリスニングモードで測定されたプリアンブル信号の平均に基づいて決定されることを特徴とするワイブロ端末機のスリープモード決定方法。
【請求項２】
前記比較した結果に応じて前記リスニングモードで測定された前記プリアンブル信号の大きさが前記閾値未満の場合に、前記Ｎ１フレームの間のスリープモード動作がなされ、
前記比較した結果に応じて前記リスニングモードで測定された前記プリアンブル信号の大きさが前記閾値以上の場合に、前記Ｎ１フレームの２倍の間のスリープモード動作がなされることを特徴とする請求項１に記載のワイブロ端末機のスリープモード決定方法。
【請求項３】
前記閾値との比較のために前記リスニングモードで測定されたプリアンブル信号の大きさは、前記Ｌフレームの間のプリアンブル信号の平均値であることを特徴とする請求項１に記載のワイブロ端末機のスリープモード決定方法。
【請求項４】
前記閾値は、通信チャンネルの環境に応じて変化することができ、以前のプリアンブルの信号強度と関連する情報を一定の周期間の平均した値に基づいて決定されて所定のメモリで管理されることを特徴とする請求項１に記載のワイブロ端末機のスリープモード決定方法。
【請求項５】
前記一定の周期は、以前のリスニングモードの５Ｌフレームであることを特徴とする請求項４に記載のワイブロ端末機のスリープモード決定方法。
【請求項６】
請求項１〜５のうちのいずれか一項の方法を実行させるためのプログラムを記録したコンピュータ読み取り可能な記録媒体。
【請求項７】
ワイブロ通信のためのプロトコルに応じて送受信パケットを処理するモデムと、
前記モデムから抽出されるプリアンブル信号に基づいてスリープモードをコントロールする制御部と、
を備え、
制御部は、Ｎ１（Ｎ１は自然数）フレームの間スリープモードで動作した後にＬ（Ｌは自然数）フレームの間リスニングモードで動作するように制御し、前記リスニングモードで前記プリアンブル信号の大きさを測定して閾値と比較し、前記比較した結果に応じて前記Ｎ１フレームの間のスリープモードまたは前記Ｎ１フレームの２倍の間のスリープモード動作を制御し、前記モデムで処理されて発生する一定の指示信号に応じてノーマル動作を制御し、
前記閾値は、前記複数のリスニングモードで測定された複数のプリアンブル信号の平均に基づいて決定されることを特徴とするワイブロ端末機。
【請求項８】
前記閾値は、通信チャンネルの環境に応じて変化することができ、以前のプリアンブルの信号強度と関連する情報を一定の周期間の平均した値に基づいて決定されて所定のメモリで管理されることを特徴とする請求項７に記載のワイブロ端末機。
【請求項９】
前記一定の周期は、以前リスニングモードの５Ｌフレームであることを特徴とする請求項８に記載のワイブロ端末機。
【発明の詳細な説明】
【発明の詳細な説明】
【０００１】
〔技術分野〕
本発明は、ワイブロ端末機に関し、より詳細には、リスニングモードでプリアンブル信号の大きさを測定し、閾値と比較した結果に応じてスリープモード動作を相違して制御し、一定の指示信号に応じてノーマル動作することができるワイブロ端末機に関する。
【０００２】
〔背景技術〕
現代社会において、通信端末機は、長距離間の意思疎通手段として多くの人々に用いられているが、特に、ワイブロ（ＷｉＢｒｏ）端末機は、最近多くのユーザが場所の制限を受けずにインターネットなどのデータサービスを用いることができるようにする携帯インターネット機能を提供する次世代通信端末機である。
【０００３】
図１は、ワイブロ端末機でスリープモードを決定する従来の方法を説明するためのフローチャートである。
【０００４】
図１に示すように、ワイブロ端末機（ＭＳ：Ｍｏｂｉｌｅ  Ｓｔａｔｉｏｎ）から基地局（ＢＳ：Ｂａｓｅ  Ｓｔａｔｉｏｎ）にＭＯＢ＿ＳＬＰ＿ＲＥＱ（Ｍｏｂｉｌｅ  Ｓｌｅｅｐ  Ｒｅｑｕｅｓｔ）メッセージを送信すれば、基地局は、ＭＯＢ＿ＳＬＰ＿ＲＳＰ（Ｍｏｂｉｌｅ  Ｓｌｅｅｐ  Ｒｅｐｏｎｓｅ）を介してＭｉｎ＿ｓｌｅｅｐｉｎｇ  ｉｎｔｅｒｖａｌ  Ｎ１、Ｍａｘ＿ｓｌｅｅｐｉｎｇ  ｉｎｔｅｒｖａｌ  Ｎ２、Ｌｉｓｔｅｎｉｎｇ  ｉｎｔｅｒｖａｌ  Ｌ１などのスリープと関連したパラメータを送信する（ステップＳ１１０）。したがって、ワイブロ端末機を、パラメータによってスリープとリスニングを繰り返すように作る。すなわち、ワイブロ端末機が基地局ＢＳからＭＯＢ＿ＳＬＰ＿ＲＳＰメッセージを受ければ、まず、Ｍｉｎ＿ｓｌｅｅｐｉｎｇ  ｉｎｔｅｒｖａｌ  Ｎ１だけスリープに入った後にＬｉｓｔｅｎｉｎｇ  ｉｎｔｅｒｖａｌ  Ｌ１だけ覚醒して基地局から受信される情報を確認するのである（ステップＳ１２０）。
【０００５】
このとき、基地局ＢＳは、他のモバイルに対して、特定階層のプロトコル内において２つの実体間で交換される細分化したデータブロックの単位であるＰＤＵ（Ｐｒｏｔｏｃｏｌ  Ｄａｔａ  Ｕｎｉｔ）を受信し、これによって基地局ＢＳがＭＯＢ＿ＴＲＦ＿ＩＮＤを送信すれば、このときワイブロ端末機ＭＳは、ＭＯＢ＿ＴＲＦ＿ＩＮＤメッセージ内に入っているパラメータがネガティブ（ｎｅｇａｔｉｖｅ）であれば（ステップＳ１３０）再びスリープモードに転換されるが、このときｓｌｅｅｐ  ｉｎｔｅｒｖａｌは２×Ｎ１であって、以前のｓｌｅｅｐ  ｉｎｔｅｒｖａｌの２倍とになる。２×Ｎ１フレームは、ｓｌｅｅｐ  ｉｎｔｅｒｖａｌの最後の満了でカウントされる。すなわち、ＭＯＢ＿ＴＲＦ＿ＩＮＤメッセージ内に入っているパラメータがネガティブであれば、ｓｌｅｅｐ  ｉｎｔｅｒｖａｌは、Ｍａｘ＿ｓｌｅｅｐｉｎｇ  ｉｎｔｅｒｖａｌ  Ｎ２に到達するまで継続して２倍ずつ増加するようになる。しかしながら、ＭＯＢ＿ＴＲＦ＿ＩＮＤメッセージ内に入っているパラメータがポジティブ（ｐｏｓｉｔｉｖｅ）であれば、スリープモードに入らずにノーマル動作状態のリスニングモードに存在するようになる（ステップＳ１４０）。
【０００６】
したがって、上記のような基地局に依存的なワイブロ標準通信方式は、弱電界地域や電波が急激に変化する通信環境に効果的に対処し難いという問題点がある。すなわち、ワイブロ端末機がチャンネル環境が急激に悪化する状況に存在する場合には、基地局をより速いスリープ周期で検索する必要があるが、従来のワイブロ標準ではこれを実現するのが困難である。
【０００７】
〔発明の開示〕
〔発明が解決しようとする課題〕
本発明は、上述した従来技術の問題点を解決するために案出されたものであって、ワイブロ端末機において、基地局から送信されるプリアンブル信号の大きさを能動的に用いてスリープ周期を調整するワイブロ端末機のスリープモード決定方法を提供することを目的とする。
【０００８】
また、本発明は、弱電界地域や通信環境が良好でない地域でも安定的なデータサービスを支援するワイブロ端末機を提供することを他の目的とする。
【０００９】
〔課題を解決するための手段〕
上記のような本発明の目的を達成し、上述した従来技術の問題点を解決するための本発明に係るスリープモード決定方法は、Ｎ１フレームの間スリープモードで動作するステップと、前記スリープモードで動作した後にＬフレームの間リスニングモードで動作するステップと、前記リスニングモードで前記プリアンブル信号の大きさを測定して閾値と比較するステップと、前記比較した結果に応じて前記Ｎ１フレームの間のスリープモードまたは前記Ｎ１フレームの２倍の間のスリープモード動作を制御するステップと、基地局から受信された一定の指示信号に応じてノーマル動作するステップとを含み、前記閾値は、前記リスニングモードで測定された複数のプリアンブル信号の平均に基づいて決定されることを特徴とする。
【００１０】
また、上記のような本発明の目的を達成し、上述した従来技術の問題点を解決するための本発明に係るワイブロ端末機は、ワイブロ通信のためのプロトコルによって送受信パケットを処理するモデムと、前記モデムから抽出されるプリアンブル信号に基づいて複数の動作モードをコントロールする制御部とを含み、前記制御部は、Ｎ１フレームの間スリープモードで動作した後にＬフレームの間リスニングモードで動作するように制御し、前記リスニングモードで前記プリアンブル信号の大きさを測定して閾値と比較し、前記比較した結果に応じて前記Ｎ１フレームの間のスリープモードまたは前記Ｎ１フレームの２倍の間のスリープモード動作を制御し、前記モデムで処理されて発生する一定の指示信号に応じてノーマル動作を制御し、前記閾値は、前記リスニングモードで測定された複数のプリアンブル信号の平均に基づいて決定されることを特徴とする。
【００１１】
〔発明を実施するための最良の形態〕
以下、添付図面に基づき、本発明の好適な実施の形態を詳細に説明するが、本発明がこれらの実施形態によって制限または限定されることはない。図中、同じ参照符号は同じ部材を示す。
【００１２】
以下、添付図面を参照しながら、本発明に係るワイブロ端末機に対する実施形態について詳述する。
【００１３】
図２は、本発明の一実施形態に係るワイブロ端末機のスリープモードを決定する方法を説明するためのフローチャートである。
【００１４】
まず、ワイブロ端末機が任意のＮ１フレームの間スリープモードで動作する（ステップＳ２１０）。次に、ワイブロ端末機がＬフレームの間覚醒してリスニングモードにある（ステップＳ２２０）。次に、ワイブロ端末機がリスニングモードでＬフレームの間覚醒して、各フレームごとに入っているプリアンブル信号の強度を測定する（ステップＳ２３０）。ここで、Ｎ１およびＬは自然数であることが好ましい。
【００１５】
プリアンブル信号の強度を測定すれば、一定の条件に応じてワイブロ端末機が特定のモードに転換されるようになるが、（Ａ）ワイブロ端末機が再びＮ１フレームの間スリープモードで動作するステップ（ステップＳ２４０）と、（Ｂ）ワイブロ端末機が再び２×Ｎ１フレームの間スリープモードで動作するステップ（ステップＳ２５０）と、（Ｃ）ワイブロ端末機がスリープモードから外れて基地局とデータパケットを送受信するノーマル動作ステップ（ステップＳ２６０）とに区分されるようになる。
【００１６】
すなわち、図２に示すように、Ｎ１フレームの間スリープモード（ステップＳ２１０）およびＬフレームの間リスニングモード（ステップＳ２２０）で動作し、ワイブロ端末機がＬフレームの間リスニングモードでプリアンブルの信号強度を測定し（ステップＳ２３０）、測定された信号の大きさを特定の閾値ＴＨ１と比較して次のステップのスリープ周期を決定するようになる（ステップＳ２４０）。閾値ＴＨ１との比較のために、リスニングモードで測定されるプリアンブル信号の大きさは、Ｌフレームの間のプリアンブル信号の平均値とすることができる。
【００１７】
このとき、閾値ＴＨ１は、固定的に指定された値ではなく、チャンネル環境などに応じて変化する値にアップデートされ、ワイブロ端末機の所定のメモリに格納されて管理されるようになる。すなわち、閾値ＴＨ１は、チャンネル環境に応じて瞬間ごとに可変する値であり、以前のプリアンブルの信号強度と関連した情報を一定の周期間で平均を出した数値である。例えば、以前のリスニングモードで５Ｌフレームの間で測定されたプリアンブルの信号強度を平均した値に基づいて閾値ＴＨ１が決定されるようになる。このとき、このように決定されてアップデートされた閾値がそれ以前の閾値よりも小さくなる場合もあるし大きくなる場合もあるが、特に本発明では、スリープ周期が大きくなり過ぎないようにし、これによって高品質のデータサービスを維持するために、このようにアップデートされた閾値によって不良な電波環境で既存よりもさらに迅速に対処できるようにスリープ周期を制御する。このように、通信チャンネル環境に応じて変化する閾値ＴＨ１は、アップデートのたびに所定のメモリに格納され、必要時に呼び出して用いるようにできる。
【００１８】
もし、ワイブロ端末機を用いる電波環境が急激に悪化し、リスニングモードで測定されたプリアンブルの信号強度が閾値ＴＨ１未満に低下すれば、スリープ周期を継続的に増やすよりも、以前のスリープ周期（例えば、Ｎ１フレーム）をそのまま維持することが、端末周辺のチャンネル環境が急激に悪化する場合に効果的かつ能動的に迅速に対処し、高品質のデータサービスを維持するための方法となる。また、ワイブロ端末機は、基地局からＭＯＢ＿ＴＲＦ＿ＩＮＤ（Ｍｏｂｉｌｅ  Ｔｒａｆｆｉｃ  Ｉｎｄｉｃａｔｉｏｎ）メッセージを受信し、ＭＯＢ＿ＴＲＦ＿ＩＮＤに応じて次のステップの動作を実行する。
【００１９】
すなわち、リスニングモードでＬフレームの間に測定されたプリアンブル信号の大きさが閾値ＴＨ１未満で、ＭＯＢ＿ＴＲＦ＿ＩＮＤがネガティブであるときには、ワイブロ端末機はＮ１フレームの間でスリープモードを維持し（ステップＳ２４０）、測定されたプリアンブル信号が閾値ＴＨ１以上で、ＭＯＢ＿ＴＲＦ＿ＩＮＤがネガティブであるときには、ワイブロ端末機は２×Ｎ１フレームの間にスリープモードを維持し（ステップＳ２５０）、ＭＯＢ＿ＴＲＦ＿ＩＮＤがポジティブのときには、ノーマル動作（ｎｏｒｍａｌ  ｏｐｅｒａｔｉｏｎ）を行うようになる（ステップＳ２６０）。
【００２０】
また、閾値ＴＨ１は、プリアンブル信号が閾値ＴＨ１と比較されるたびに、アップデートされた値が適用されるようにすることができる。また、アップデートされた値は、上述したように、以前の電波環境に対する情報の平均を出し、この平均による数値に基づいて決定された値として、より効果的にワイブロ端末機のスリープ周期を制御することができる。さらに、閾値ＴＨ１を決定するために、リスニングモードで測定されるプリアンブル信号は、５Ｌフレームの間のプリアンブル信号として指定することができるため、ワイブロ端末機は、指定された５Ｌフレームの間のプリアンブル信号を測定し、この値に基づいて閾値ＴＨ１を決定することによって、上述した（Ａ）、（Ｂ）、および（Ｃ）の動作を実行することができる。
【００２１】
なお、本発明に係るワイブロ端末機のスリープモード決定方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【００２２】
図３は、本発明の一実施形態に係るワイブロシステムを説明するための図である。
【００２３】
図３に示すように、ワイブロシステム３００は、ワイブロ端末機４００と、ネットワーク３２０と、および基地局３３０とを備える。
【００２４】
ワイブロ端末機４００とは、ワイブロ機能を採用した通信端末機であって、ネットワーク３２０を介して基地局３３０から多様な要求メッセージ、応答メッセージ、および命令メッセージなどを受信することができる。ワイブロ（ＷｉＢｒｏ：Ｗｉｒｅｌｅｓｓ  Ｂｒｏａｄｂａｎｄ）とは、無線で移動中に移動通信端末機のように容易に用いることができる無線広帯域インターネットサービス技術を意味する。現在用いられるワイブロの一例を説明すれば、２．３ＧＨｚ帯域の周波数を用いて時速６０ｋｍ以上の移動性と１Ｍｂｐｓ級の送信速度を提供し、ワイブロの電波伝達距離が最大で４８ｋｍに達することにより、ホットスポットいうサービス地域でのみ使用が可能な無線ＬＡＮ、Ｗｉ−Ｆｉよりもサービス半径が１０倍以上も広いという利点がある。さらに、インテルで推進している無線広帯域インターネットサービスのＷｉＭＡＸとも互換性、ＶｏＩＰ技術と結合して、現在のＣＤＭＡ移動通信を代替する通信技術としてＩＥＥＥが承認した次世代無線広帯域送信技術標準のＩＥＥＥ８０２．１６ｅに符合する国際技術標準であるワイブロ技術標準ＨＰｉ（Ｈｉｇｈ−ｓｐｅｅｄ  Ｐｏｒｔａｂｌｅ  Ｉｎｔｅｒｎｅｔ）によるものである。ワイブロ端末機４００のより詳細な動作については、図４を参考しながら後述する。
【００２５】
ネットワーク３２０とは、移動通信端末機と固定して地点間または移動通信端末機の相互間を連結する通信網を意味するものであって、セルラ（ｃｅｌｌｕｌａｒ）移動通信方式など多様な移動通信原理を適用することができる。また、移動しながら用いられる電気電子装置と通信する業務を取り扱う無線局としては、ワイブロ端末機４００の送受信電波を中継する基地局ＢＳ、複数の異種類または同種類の通信網を相互接続して通信網間の情報を授受できるようにする機能単位または装置として用いられるゲートウェイ（ｇａｔｅｗａｙ）などを共に用いることができる。
【００２６】
基地局３３０は、移動しながら用いられる電気電子装置と通信する業務を取り扱う無線局であって、ワイブロ端末機４００の送受信電波を中継し、陸上移動局との通信または移動中継局の中継による通信をするために陸上に開設して移動しない無線局である。基地局３３０は、移動通信で基地局を構成するシステムである基地局システムを含むことができ、基地局システムは、基地局制御機（ＢＳＣ）と基地局トランシーバ（ＢＴＳ：Ｂａｓｅ  Ｔｒａｎｓｃｅｉｖｅｒ  Ｓｔａｔｉｏｎ）とに区分されるが、基地局制御機は各種有線網との接続および基地局トランシーバ制御を担当するし、基地局トランシーバは移動局との無線送信を担当する。また、本発明に係る基地局３３０は、ワイブロ端末機４００が属したセル半径に該当する基地局だけでなく、ワイブロ端末機４００と関連した複数の基地局であるとも言える。
【００２７】
図４は、本発明の一実施形態に係るワイブロ端末機４００の内部構造を説明するためのブロック図である。
【００２８】
図４に示すように、ワイブロ端末機４００は、モデム（ＭＯＤＥＭ：３１０）と、制御部４２０と、無線送受信部４３０と、入力手段４４０と、出力手段４５０とを備える。
【００２９】
モデム４１０は、無線送受信機４３０を介して受信されたアナログ信号をデジタル信号に変えたり（復調）、ワイブロ端末機４００から出るデジタル信号を送信できるようにアナログ信号に変えたりする。本発明では、ワイブロ通信のためのプロトコルに応じて送受信パケットを処理する機能を行う。
【００３０】
制御部４２０は、モデム４１０から抽出されるプリアンブル信号に基づいてスリープモードをコントロールする。さらに、Ｎ１フレームの間スリープモードで動作した後にＬフレームの間リスニングモードで動作するように制御し、リスニングモードでＭＯＢ＿ＴＲＦ＿ＩＮＤがネガティブの場合に、プリアンブル信号の大きさを測定して閾値ＴＨ１と比較する。上述したように、リスニングモードで測定されるプリアンブル信号の大きさは、Ｌフレームの間のプリアンブル信号の平均値とすることができ、閾値ＴＨ１は、以前のリスニングモードで測定された５Ｌフレームの間のプリアンブル信号の平均に基づいて決定される。制御部４２０は、比較した結果に応じてＮ１フレームの間のスリープモードまたは２×Ｎ１フレームの間のスリープモード動作を制御する。さらに、制御部４２０は、ＭＯＢ＿ＴＲＦ＿ＩＮＤがポジティブの場合には、ノーマル動作を制御する。基地局から受信されるＭＯＢ＿ＴＲＦ＿ＩＮＤメッセージは、プリアンブル信号に含まれるようになるが、これはモデム４１０で処理され、ポジティブを示すのかネガティブを示すのかを決定することができる。
【００３１】
制御部４２０は、ワイブロ端末機４００の各構成要素の全般的な制御を担当する。また、制御部４２０は、通常的にモデムＤＳＰ（Ｄｉｇｉｔａｌ  Ｓｉｇｎａｌ  Ｐｒｏｃｅｓｓｏｒ）と関連した通信端末機上のすべてのデータを処理するプロセッサ機能を含む。ベースバンド信号（ｂａｓｅｂａｎｄ  ｓｉｇｎａｌ）などの内部信号を処理するためのＤＳＰを多く備えるほど、速い処理速度によってそれぞれのモードによる動作を迅速に処理することができる。制御部４２０としては、ＭＳＭ（Ｍｏｂｉｌｅ  Ｓｔａｔｉｏｎ  Ｍｏｄｅｍ）、ＤＳＰ（Ｄｉｇｉｔａｌ  Ｓｉｇｎａｌ  Ｐｒｏｃｅｓｓｏｒ）、ＯＭＡＰ（Ｏｐｅｎ  Ｍｕｌｔｉｍｅｄｉａ  Ａｐｐｌｉｃａｔｉｏｎ  Ｐｌａｔｆｏｒｍ）などを用いることができる。
【００３２】
無線送受信機４３０は、基地局と電波を送受信しながら移動通信サービスを実行したり、本願発明に係るＭＯＢ＿ＳＬＰ＿ＲＥＱなどのメッセージを基地局３３０に送信したり、基地局３３０からＭＯＢ＿ＴＲＦ＿ＩＮＤなどのメッセージを受信したりする。
【００３３】
入力手段４４０は、ワイブロ端末機４００に各種命令を下したり設定したりするための装置である。なお、入力手段４４０としては、キーパッド、タッチスクリーン、タッチパッド、および音声認識モジュールなどを１つ以上組み合わせて用いることができる。
【００３４】
出力手段４５０は、ワイブロ端末機４００の設定や一定の情報を確認するために用いられる装置である。なお、出力手段としては、ワイブロ端末機４００に備えられたＬＣＤ、有機ＬＥＤ、ＰＤＰ、ＬＥＤなどの視覚的出力手段、着信音、カラーリング、ＭＰ３などの多様な音楽を出力できるスピーカやイヤホンなどの聴覚的出力手段、および振動モータなどを用いた触覚的出力手段を少なくとも１つ以上用いることができる。
【００３５】
また、ワイブロ端末機４００は、本発明で説明したワイブロ機能を採択しているＰＤＣ（Ｐｅｒｓｏｎａｌ  Ｄｉｇｉｔａｌ  Ｃｅｌｌｕｌａｒ）フォン、ＰＣＳ（Ｐｅｒｓｏｎａｌ  Ｃｏｍｍｕｎｉｃａｔｉｏｎ  Ｓｅｒｖｉｃｅ）フォン、ＰＨＳ（Ｐｅｒｓｏｎａｌ  Ｈａｎｄｙｐｈｏｎｅ  Ｓｙｓｔｅｍ）フォン、ＣＤＭＡ−２０００（１Ｘ、３Ｘ）フォン、ＷＣＤＭＡ（Ｗｉｄｅｂａｎｄ  ＣＤＭＡ）フォン、デュアルバンド／デュアルモード（Ｄｕａｌ  Ｂａｎｄ／Ｄｕａｌ  Ｍｏｄｅ）フォン、ＧＳＭ（Ｇｌｏｂａｌ  Ｓｔａｎｄａｒｄ  ｆｏｒ  Ｍｏｂｉｌｅ）フォン、ＭＢＳ（Ｍｏｂｉｌｅ  Ｂｒｏａｄｂａｎｄ  Ｓｙｓｔｅｍ）フォン、ＤＭＢ（Ｄｉｇｉｔａｌ  Ｍｕｌｔｉｍｅｄｉａ  Ｂｒｏａｄｃａｓｔｉｎｇ）フォン、スマート（Ｓｍａｒｔ）フォン、携帯電話などのような通信機能が含まれている携帯用機器、ＰＳＴＮ（ｐｕｂｌｉｃ  ｓｗｉｔｃｈｅｄ  ｔｅｌｅｐｈｏｎｅ  ｎｅｔｗｏｒｋ）端末機、ＶｏＩＰ（Ｖｏｉｃｅ  ｏｖｅｒ  Ｉｎｔｅｒｎｅｔ  Ｐｒｏｔｏｃｏｌ）、ＳＩＰ（Ｓｅｓｓｉｏｎ  Ｉｎｉｔｉａｔｉｏｎ  Ｐｒｏｔｏｃｏｌ）、ＭＧＣＰ（Ｍｅｄｉａ  Ｇａｔｅｗａｙ  Ｃｏｎｔｒｏｌ  Ｐｒｏｔｏｃｏｌ）、ＭＥＧＡＣＯ（Ｍｅｄｉａ  Ｇａｔｅｗａｙ  Ｃｏｎｔｒｏｌ）、ＰＤＡ（Ｐｅｒｓｏｎａｌ  Ｄｉｇｉｔａｌ  Ａｓｓｉｓｔａｎｔ）、ハンドヘルドＰＣ（Ｈａｎｄ−Ｈｅｌｄ  ＰＣ）、ノート型パソコン、ラップトップコンピュータ、ＭＰ３プレーヤ、ＭＤプレーヤなどのような携帯端末機、または国際ローミング（Ｒｏａｍｉｎｇ）サービスと拡張した移動通信サービスを提供するＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ−２０００）端末機、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）基盤の端末機などを含むすべての種類のハンドヘルド基盤の無線通信装置を意味する携帯用電気電子装置であって、ＣＤＭＡ（Ｃｏｄｅ  Ｄｉｖｉｓｉｏｎ  Ｍｕｌｔｉｐｌｅｘｉｎｇ  Ａｃｃｅｓｓ）モジュール、ブルートゥース（Ｂｌｕｅｔｏｏｔｈ）モジュール、赤外線通信モジュール（Ｉｎｆｒａｒｅｄ  Ｄａｔａ  Ａｓｓｏｃｉａｔｉｏｎ）、有無線ＬＡＮカード、およびＧＰＳ（Ｇｌｏｂａｌ  Ｐｏｓｉｔｉｏｎｉｎｇ  Ｓｙｓｔｅｍ）を介した位置追跡を可能にするためにＧＰＳチップが搭載された無線通信装置のような所定の通信モジュールを備えることができ、マルチメディア再生機能を実行することができるマイクロプロセッサを搭載することで一定の演算動作を実行することができる端末機を通称する概念として解釈される。
【００３６】
以上、本発明に係るスリープモードを決定するワイブロ端末機について説明したが、図２の実施形態で上述した内容が本実施形態にもそのまま適用することができるため、詳細な内容は省略する。
【００３７】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【００３８】
〔産業上の利用可能性〕
上述したように、本発明に係るワイブロ端末機では、基地局から送信されるプリアンブル信号の大きさを能動的に用いてスリープ周期を調整するワイブロ端末機のスリープモード決定方法を提供することができるため、弱電界地域や通信環境が良好でない地域でも効果的かつ能動的に迅速に対処して安定的なデータサービスを用いることができるようにし、短いスリープ周期の利用によってバッテリ消耗量を減らすこともできる。
【図面の簡単な説明】
【００３９】
【図１】ワイブロ端末機でスリープモードを決定する従来の方法を説明するためのフローチャートである。
【図２】本発明の一実施形態に係るワイブロ端末機のスリープモードを決定する方法を説明するためのフローチャートである。
【図３】本発明の一実施形態に係るワイブロシステムを説明するための図である。
【図４】本発明の一実施形態に係るワイブロ端末機の内部構造を説明するためのブロック図である。
【図１】
2009522842.tif 000003
【図２】
2009522842.tif 000004
【図３】
2009522842.tif 000005
【図４】
2009522842.tif 000006
【手続補正書】
【提出日】平成20年7月1日(2008.7.1)
【手続補正１】
【補正対象書類名】特許請求の範囲
【補正対象項目名】全文
【補正方法】変更
【補正の内容】
【特許請求の範囲】
【請求項１】
第１Ｎ１（Ｎ１は自然数）フレームの間スリープモードで動作するステップと、
前記スリープモードで動作した後にＬ（Ｌは自然数）フレームの間リスニングモードで動作するステップと、
前記リスニングモードで受信されたプリアンブル信号の大きさを測定して閾値と比較するステップと、
前記比較した結果に基づいて第２Ｎ１フレームまたは前記第１Ｎ１フレームの２倍の間のスリープモード動作を制御するステップと、
を含み、
前記閾値は、前記複数のリスニングモードで測定されたプリアンブル信号の平均に基づいて決定されることを特徴とするモバイル端末機のスリープモード決定方法。
【請求項２】
前記リスニングモードで測定された前記プリアンブル信号の大きさが前記閾値未満の場合に、前記第２Ｎ１フレームの間のスリープモード動作がなされ、
前記リスニングモードで測定された前記プリアンブル信号の大きさが前記閾値以上の場合に、前記第１Ｎ１フレームの２倍の間のスリープモード動作がなされることを特徴とする請求項１に記載のモバイル端末機のスリープモード決定方法。
【請求項３】
前記閾値との比較のために前記リスニングモードで測定されたプリアンブル信号の大きさは、前記Ｌフレームの間に受信された複数のプリアンブル信号の平均値であることを特徴とする請求項１に記載のモバイル端末機のスリープモード決定方法。
【請求項４】
前記閾値は、通信チャンネルの環境に応じて変化し、以前のプリアンブルの信号の強度と関連する情報を一定の周期間の平均した値に基づいて決定されてメモリで管理されることを特徴とする請求項１に記載のモバイル端末機のスリープモード決定方法。
【請求項５】
前記一定の周期は、５Ｌフレームであることを特徴とする請求項４に記載のモバイル端末機のスリープモード決定方法。
【請求項６】
請求項１〜５のうちのいずれか一項の方法を実行させるためのプログラムを記録したコンピュータ読み取り可能な記録媒体。
【請求項７】
通信プロトコルに応じて送受信パケットを処理するモデムと、
前記モデムから抽出されるプリアンブル信号に基づいてスリープモードをコントロールする制御部と、
を備え、
制御部は、第１Ｎ１（Ｎ１は自然数）フレームの間スリープモードで動作した後にＬ（Ｌは自然数）フレームの間リスニングモードで動作するように制御し、前記リスニングモードで前記プリアンブル信号の大きさを測定して閾値と比較し、前記比較した結果に基づいて第２Ｎ１フレームまたは前記第１Ｎ１フレームの２倍の間のスリープモード動作を制御し、前記モデムで処理されて発生する一定の指示信号に応じてノーマル動作を制御し、
前記閾値は、前記複数のリスニングモードで測定された複数のプリアンブル信号の平均に基づいて決定されることを特徴とするモバイル端末機。
【請求項８】
前記閾値は、通信チャンネルの環境に応じて変化し、以前のプリアンブルの信号の強度と関連する情報を一定の周期間の平均した値に基づいて決定されてメモリで管理されることを特徴とする請求項７に記載のモバイル端末機。
【請求項９】
前記一定の周期は、５Ｌフレームであることを特徴とする請求項８に記載のモバイル端末機。
【請求項１０】
基地局から受信された一定の指示信号に基づいてモバイル端末機によってノーマル動作を行うステップ、
をさらに含むことを特徴とする請求項１に記載のモバイル端末機のスリープモード決定方法。
【請求項１１】
前記基地局から受信された一定の指示信号は、ポジティブＭＯＢ＿ＴＲＦ＿ＩＮＤ（Ｍｏｂｉｌｅ  Ｔｒａｆｆｉｃ  Ｉｎｄｉｃａｔｉｏｎ）メッセージに対応することを特徴とする請求項１０に記載のモバイル端末機のスリープモード決定方法。
【請求項１２】
基地局から受信された一定の指示信号がネガティブＭＯＢ＿ＴＲＦ＿ＩＮＤメッセージに対応する場合に、前記スリープモード動作を制御するステップが実行されることを特徴とする請求項１に記載のモバイル端末機のスリープモード決定方法。
【請求項１３】
前記制御部は、前記モデムで処理される一定の指示信号に基づいてノーマル動作を実行するように制御することを特徴とする請求項７に記載のモバイル端末機。
【請求項１４】
前記一定の指示信号は、基地局から受信されることを特徴とする請求項１３に記載のモバイル端末機。
【請求項１５】
前記一定の指示信号は、ポジティブＭＯＢ＿ＴＲＦ＿ＩＮＤメッセージに対応することを特徴とする請求項１３に記載のモバイル端末機。
【請求項１６】
前記制御部は、基地局から受信された一定の指示信号がネガティブＭＯＢ＿ＴＲＦ＿ＩＮＤメッセージに対応する場合に、スリープモード動作を制御することを特徴とする請求項７に記載のモバイル端末機。
【手続補正２】
【補正対象書類名】明細書
【補正対象項目名】全文
【補正方法】変更
【補正の内容】
【発明の詳細な説明】
【発明の詳細な説明】
【０００１】
〔技術分野〕
本発明は、無線端末機（またはモバイル端末機）に関し、より詳細には、リスニングモードでプリアンブル信号の大きさを測定し、閾値と比較することによってスリープモード動作を相違して制御し、一定の指示信号に応じてノーマル動作することができる端末機に関する。
【０００２】
〔背景技術〕
現代社会において、通信端末機は、長距離間の意思疎通手段として多くの人々に用いられているが、特に、ワイブロ（ＷｉＢｒｏ）端末機（またはモバイル端末機）は、最近多くのユーザが場所の制限を受けずにインターネットなどのデータサービスを用いることができるようにする携帯インターネット機能を提供する次世代通信端末機である。
【０００３】
図１は、ワイブロ端末機（またはモバイル端末機）でスリープモードを決定する従来の方法を説明するためのフローチャートである。
【０００４】
図１に示すように、ステップ１１０で、端末機（ＭＳ：Ｍｏｂｉｌｅ  Ｓｔａｔｉｏｎ）は、基地局（ＢＳ：Ｂａｓｅ  Ｓｔａｔｉｏｎ）にＭＯＢ＿ＳＬＰ＿ＲＥＱ（Ｍｏｂｉｌｅ  Ｓｌｅｅｐ  Ｒｅｑｕｅｓｔ）メッセージを送信し、ステップ１２０で、基地局は、ＭＯＢ＿ＳＬＰ＿ＲＳＰ（Ｍｏｂｉｌｅ  Ｓｌｅｅｐ  Ｒｅｐｏｎｓｅ）を介してＭｉｎ＿ｓｌｅｅｐｉｎｇ  ｉｎｔｅｒｖａｌ  Ｎ１、Ｍａｘ＿ｓｌｅｅｐｉｎｇ  ｉｎｔｅｒｖａｌ  Ｎ２、Ｌｉｓｔｅｎｉｎｇ  ｉｎｔｅｒｖａｌ  Ｌ１などのスリープと関連したパラメータを送信する。したがって、端末機を、パラメータによってスリープとリスニングを繰り返すように作る。すなわち、端末機が基地局ＢＳからＭＯＢ＿ＳＬＰ＿ＲＳＰメッセージを受ければ、まず、Ｍｉｎ＿ｓｌｅｅｐｉｎｇ  ｉｎｔｅｒｖａｌ  Ｎ１だけスリープに入った後にＬｉｓｔｅｎｉｎｇ  ｉｎｔｅｒｖａｌ  Ｌ１だけ覚醒して基地局から受信される情報を確認するのである。
【０００５】
このとき、基地局ＢＳは、他のモバイルに対して、特定階層のプロトコル内において２つの実体間で交換される細分化したデータブロックの単位であるＰＤＵ（Ｐｒｏｔｏｃｏｌ  Ｄａｔａ  Ｕｎｉｔ）を受信し、これによって基地局ＢＳがＭＯＢ＿ＴＲＦ＿ＩＮＤを送信すれば、このとき端末機ＭＳは、ステップ１３０におけるＭＯＢ＿ＴＲＦ＿ＩＮＤメッセージ内に入っているパラメータがネガティブ（ｎｅｇａｔｉｖｅ）であれば再びスリープモードに転換されるが、このときｓｌｅｅｐ  ｉｎｔｅｒｖａｌは２×Ｎ１であって、以前のｓｌｅｅｐ  ｉｎｔｅｒｖａｌの２倍とになる。２×Ｎ１フレームは、ｓｌｅｅｐ  ｉｎｔｅｒｖａｌの最後の満了でカウントされる。すなわち、ＭＯＢ＿ＴＲＦ＿ＩＮＤメッセージ内に入っているパラメータがネガティブであれば、ｓｌｅｅｐ  ｉｎｔｅｒｖａｌは、以前のスリープモードのｓｌｅｅｐ  ｉｎｔｅｒｖａｌに到達するまで継続して２倍ずつ増加するようになる。しかしながら、ステップ１４０におけるＭＯＢ＿ＴＲＦ＿ＩＮＤメッセージ内に入っているパラメータがポジティブ（ｐｏｓｉｔｉｖｅ）であれば、スリープモードに入らずにノーマル動作状態のリスニングモードで動作する。
【０００６】
したがって、上記のような基地局に依存的なワイブロ標準通信方式は、弱電界地域や電波が急激に変化する通信環境に効果的に対処し難いという問題点がある。すなわち、ワイブロ端末機（またはモバイル端末機）がチャンネル環境が急激に悪化する状況に存在する場合には、基地局をより速いスリープ周期で検索する必要があるが、従来のワイブロ標準ではこれを実現するのが困難である。
【０００７】
〔発明の開示〕
〔発明が解決しようとする課題〕
本発明は、上述した従来技術の問題点を解決するために案出されたものであって、無線端末機（またはモバイル端末機）において、基地局から送信されるプリアンブル信号の大きさを能動的に用いてスリープ周期を調整する無線端末機（またはモバイル端末機）のスリープモード決定方法を提供することを目的とする。
【０００８】
また、本発明は、弱電界地域や通信環境が良好でない地域でも安定的なデータサービスを支援する端末機を提供することを他の目的とする。
【０００９】
〔課題を解決するための手段〕
上記のような本発明の目的を達成し、上述した従来技術の問題点を解決するための本発明に係る無線端末機（またはモバイル端末機）のスリープモード決定方法は、Ｎ１フレームの間スリープモードで動作するステップと、前記スリープモードで動作した後にＬフレームの間リスニングモードで動作するステップと、前記リスニングモードで前記プリアンブル信号の大きさを測定して閾値と比較するステップと、前記比較した結果に応じて前記Ｎ１フレームの間のスリープモードまたは前記Ｎ１フレームの２倍の間のスリープモード動作を制御するステップと、基地局から受信された一定の指示信号に応じてノーマル動作するステップとを含み、前記閾値は、前記リスニングモードで測定された複数のプリアンブル信号の平均に基づいて決定されることを特徴とする。
【００１０】
また、上記のような本発明の目的を達成し、上述した従来技術の問題点を解決するための本発明に係る端末機は、通信プロトコルによって送受信パケットを処理するモデムと、前記モデムから抽出されるプリアンブル信号に基づいて複数の動作モードをコントロールする制御部とを含み、前記制御部は、Ｎ１フレームの間スリープモードで動作した後にＬフレームの間リスニングモードで動作するように制御し、前記リスニングモードで前記プリアンブル信号の大きさを測定して閾値と比較し、前記比較した結果に応じて前記Ｎ１フレームの間のスリープモードまたは前記Ｎ１フレームの２倍の間のスリープモード動作を制御し、前記モデムで処理されて発生する一定の指示信号に応じてノーマル動作を制御し、前記閾値は、前記リスニングモードで測定された複数のプリアンブル信号の平均に基づいて決定されることを特徴とする。
【００１１】
〔発明を実施するための最良の形態〕
以下、添付図面に基づき、本発明の好適な実施の形態を詳細に説明するが、本発明がこれらの実施形態によって制限または限定されることはない。図中、同じ参照符号は同じ部材を示す。
【００１２】
以下、添付図面を参照しながら、本発明に係るワイブロ端末機（またはモバイル端末機）に対する実施形態について詳述する。
【００１３】
図２は、本発明の一実施形態に係るワイブロ端末機（またはモバイル端末機）のスリープモードを決定する方法を説明するためのフローチャートである。
【００１４】
まず、ワイブロ端末機（またはモバイル端末機）が任意のＮ１フレームの間スリープモードで動作する（ステップＳ２１０）。次に、ワイブロ端末機（またはモバイル端末機）がＬフレームの間覚醒してリスニングモードにある（ステップＳ２２０）。次に、ワイブロ端末機（またはモバイル端末機）がリスニングモードでＬフレームの間覚醒して、各フレームごとに入っているプリアンブル信号の強度を測定する（ステップＳ２３０）。ここで、Ｎ１およびＬは自然数であることが好ましい。
【００１５】
プリアンブル信号の強度を測定すれば、一定の条件に応じてワイブロ端末機（またはモバイル端末機）が特定のモードに転換されるようになるが、（Ａ）ワイブロ端末機（またはモバイル端末機）が再びＮ１フレームの間スリープモードで動作するステップ（ステップＳ２４０）と、（Ｂ）ワイブロ端末機（またはモバイル端末機）が再び２×Ｎ１フレームの間スリープモードで動作するステップ（ステップＳ２５０）と、（Ｃ）ワイブロ端末機（またはモバイル端末機）がスリープモードから外れて基地局とデータパケットを送受信するノーマル動作ステップ（ステップＳ２６０）とに区分されるようになる。
【００１６】
すなわち、図２に示すように、ワイブロ端末機（またはモバイル端末機）は、測定されたプリアンブル信号の大きさを特定の閾値ＴＨ１と比較して次のステップを決定するようになる。閾値ＴＨ１との比較のために、リスニングモードで測定されるプリアンブル信号の大きさは、Ｌフレームの間のプリアンブル信号の平均値とすることができる。
【００１７】
このとき、閾値ＴＨ１は、固定的に指定された値ではなく、チャンネル環境などに応じて変化する値にアップデートされ、ワイブロ端末機（またはモバイル端末機）のメモリに格納されて管理されるようになる。すなわち、閾値ＴＨ１は、チャンネル環境に応じて瞬間ごとに可変する値であり、以前のプリアンブルの信号強度と関連した情報を一定の周期間で平均を出した数値である。例えば、以前のリスニングモードで５Ｌフレームの間で測定されたプリアンブルの信号強度を平均した値に基づいて閾値ＴＨ１が決定されるようになる。このとき、このように決定されてアップデートされた閾値がそれ以前の閾値よりも小さくなる場合もあるし大きくなる場合もあるが、特に本発明の一実施形態では、スリープ周期が大きくなり過ぎないようにし、これによって高品質のデータサービスを維持するために、このようにアップデートされた閾値によって不良な電波環境で既存よりもさらに迅速に対処できるようにスリープ周期を制御する。このように、通信チャンネル環境に応じて変化する閾値ＴＨ１は、アップデートのたびにメモリに格納され、必要時に呼び出して用いるようにできる。
【００１８】
もし、ワイブロ端末機（またはモバイル端末機）を用いる電波環境が急激に悪化し、リスニングモードで測定されたプリアンブルの信号強度が閾値ＴＨ１未満に低下すれば、スリープ周期を継続的に増やすよりも、以前のスリープ周期（例えば、Ｎ１フレーム）をそのまま維持することが、端末周辺のチャンネル環境が急激に悪化する場合に効果的かつ能動的に迅速に対処し、高品質のデータサービスを維持するための方法となる。また、ワイブロ端末機（またはモバイル端末機）は、基地局からＭＯＢ＿ＴＲＦ＿ＩＮＤ（Ｍｏｂｉｌｅ  Ｔｒａｆｆｉｃ  Ｉｎｄｉｃａｔｉｏｎ）メッセージを受信し、ＭＯＢ＿ＴＲＦ＿ＩＮＤに応じて次のステップの動作を実行する。
【００１９】
すなわち、もしリスニングモードでＬフレームの間に測定されたプリアンブル信号の大きさが閾値ＴＨ１未満で、ＭＯＢ＿ＴＲＦ＿ＩＮＤがネガティブであれば、ワイブロ端末機（またはモバイル端末機）はＮ１フレームの間でスリープモードを維持し（ステップＳ２４０）、もし測定されたプリアンブル信号が閾値ＴＨ１以上で、ＭＯＢ＿ＴＲＦ＿ＩＮＤがネガティブであれば、ワイブロ端末機（またはモバイル端末機）は２×Ｎ１フレームの間にスリープモードを維持し（ステップＳ２５０）、もしＭＯＢ＿ＴＲＦ＿ＩＮＤがポジティブであれば、ノーマル動作（ｎｏｒｍａｌ  ｏｐｅｒａｔｉｏｎ）を行うようになる（ステップＳ２６０）。
【００２０】
また、閾値ＴＨ１は、プリアンブル信号が閾値ＴＨ１と比較されるたびに、アップデートされた値が適用されるようにすることができる。また、アップデートされた値は、上述したように、以前の電波環境に対する情報の平均を出し、この平均による数値に基づいて決定された値として、より効果的にワイブロ端末機（またはモバイル端末機）のスリープ周期を制御することができる。さらに、閾値ＴＨ１を決定するために、リスニングモードで測定されるプリアンブル信号は、５Ｌフレームの間のプリアンブル信号として指定することができるため、ワイブロ端末機（またはモバイル端末機）は、指定された５Ｌフレームの間のプリアンブル信号を測定し、この値に基づいて閾値ＴＨ１を決定することによって、上述した（Ａ）、（Ｂ）、および（Ｃ）動作のうちから選択することができる。
【００２１】
なお、本発明に係るワイブロ端末機（またはモバイル端末機）のスリープモード決定方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【００２２】
図３は、本発明の一実施形態に係るワイブロシステムを説明するための図である。
【００２３】
図３に示すように、ワイブロシステム３００は、ワイブロ端末機（またはモバイル端末機）４００と、ネットワーク３２０と、および基地局３３０とを備える。
【００２４】
ワイブロ端末機（またはモバイル端末機）４００とは、ワイブロ機能を採用した通信端末機であって、ネットワーク３２０を介して基地局３３０から多様な要求メッセージ、応答メッセージ、および命令メッセージなどを受信することができる。ワイブロ（ＷｉＢｒｏ：Ｗｉｒｅｌｅｓｓ  Ｂｒｏａｄｂａｎｄ）とは、無線で移動中に移動通信端末機のように容易に用いることができる無線広帯域インターネットサービス技術を意味する。現在用いられるワイブロの一例を説明すれば、２．３ＧＨｚ帯域の周波数を用いて時速６０ｋｍ以上の移動性と１Ｍｂｐｓ級の送信速度を提供し、ワイブロの電波伝達距離が最大で４８ｋｍに達することにより、ホットスポットいうサービス地域でのみ使用が可能な無線ＬＡＮ、Ｗｉ−Ｆｉよりもサービス半径が１０倍以上も広いという利点がある。さらに、インテルで推進している無線広帯域インターネットサービスのＷｉＭＡＸとも互換性、ＶｏＩＰ技術と結合して、現在のＣＤＭＡ移動通信を代替する通信技術としてＩＥＥＥが承認した次世代無線広帯域送信技術標準のＩＥＥＥ８０２．１６ｅに符合する国際技術標準であるワイブロ技術標準ＨＰｉ（Ｈｉｇｈ−ｓｐｅｅｄ  Ｐｏｒｔａｂｌｅ  Ｉｎｔｅｒｎｅｔ）によるものである。ワイブロ端末機（またはモバイル端末機）４００のより詳細な動作については、図４を参考しながら後述する。
【００２５】
ネットワーク３２０とは、移動通信端末機と固定して地点間または移動通信端末機の相互間を連結する通信網を意味するものであって、セルラ（ｃｅｌｌｕｌａｒ）移動通信方式など多様な移動通信原理を適用することができる。また、移動しながら用いられる電気電子装置と通信する業務を取り扱う無線局としては、ワイブロ端末機（またはモバイル端末機）４００の送受信電波を中継する基地局ＢＳ３３０、異種類または同種類の通信網をネットワーク３２０を連結して通信網間の情報を授受できるようにするゲートウェイ（ｇａｔｅｗａｙ）などを共に用いることができる。
【００２６】
基地局３３０は、移動しながら用いられる電気電子装置と通信する業務を取り扱う無線局であって、ワイブロ端末機（またはモバイル端末機）４００の送受信電波を中継し、陸上移動局との通信または移動中継局の中継による通信をするために陸上に開設して移動しない無線局である。基地局３３０は、移動通信で基地局を構成するシステムである基地局システムを含むことができ、基地局システムは、基地局制御機（ＢＳＣ）と基地局トランシーバ（ＢＴＳ：Ｂａｓｅ  Ｔｒａｎｓｃｅｉｖｅｒ  Ｓｔａｔｉｏｎ）とに区分されるが、基地局制御機は各種有線網との接続および基地局トランシーバ制御を担当するし、基地局トランシーバは移動局との無線送信を担当する。また、本発明に係る基地局３３０は、ワイブロ端末機（またはモバイル端末機）４００が属したセル半径に該当する基地局だけでなく、ワイブロ端末機（またはモバイル端末機）４００と関連した複数の基地局であるとも言える。
【００２７】
図４は、本発明の一実施形態に係るワイブロ端末機（またはモバイル端末機）４００の内部構造を説明するためのブロック図である。
【００２８】
図４に示すように、ワイブロ端末機（またはモバイル端末機）４００は、モデム（ＭＯＤＥＭ：３１０）と、制御部４２０と、無線送受信部４３０と、入力手段４４０と、出力手段４５０とを備える。
【００２９】
モデム４１０は、無線送受信機４３０を介して受信されたアナログ信号をデジタル信号に変えたり（復調）、ワイブロ端末機（またはモバイル端末機）４００から出るデジタル信号を送信できるようにアナログ信号に変えたりする。本発明の一実施形態では、ワイブロ通信のためのプロトコルに応じて送受信パケットを処理する機能を行う。
【００３０】
制御部４２０は、モデム４１０から抽出されるプリアンブル信号に基づいてスリープモードをコントロールする。さらに、制御部４２０は、ワイブロ端末機（またはモバイル端末機）４００がＮ１フレームの間スリープモードで動作した後にＬフレームの間リスニングモードで動作するように制御し、リスニングモードでＭＯＢ＿ＴＲＦ＿ＩＮＤがネガティブの場合に、プリアンブル信号の大きさを測定して閾値ＴＨ１と比較する。上述したように、リスニングモードで測定されるプリアンブル信号の大きさは、Ｌフレームの間のプリアンブル信号の平均値とすることができ、閾値ＴＨ１は、以前のリスニングモードで測定された５Ｌフレームの間のプリアンブル信号の平均に基づいて決定される。制御部４２０は、比較した結果に応じてＮ１フレームの間のスリープモードまたは２×Ｎ１フレームの間のスリープモード動作を制御する。さらに、制御部４２０は、ＭＯＢ＿ＴＲＦ＿ＩＮＤがポジティブの場合には、ノーマル動作を制御する。基地局から受信されるＭＯＢ＿ＴＲＦ＿ＩＮＤメッセージは、プリアンブル信号に含まれるようになるが、これはモデム４１０で処理され、ポジティブを示すのかネガティブを示すのかを決定することができる。
【００３１】
制御部４２０は、ワイブロ端末機（またはモバイル端末機）４００の各構成要素の全般的な制御を担当する。また、制御部４２０は、通常的にモデムＤＳＰ（Ｄｉｇｉｔａｌ  Ｓｉｇｎａｌ  Ｐｒｏｃｅｓｓｏｒ）と関連した通信端末機上のすべてのデータを処理するプロセッサ機能を含む。ベースバンド信号（ｂａｓｅｂａｎｄ  ｓｉｇｎａｌ）などの内部信号を処理するためのＤＳＰを多く備えるほど、速い処理速度によってそれぞれのモードによる動作を迅速に処理することができる。制御部４２０としては、ＭＳＭ（Ｍｏｂｉｌｅ  Ｓｔａｔｉｏｎ  Ｍｏｄｅｍ）、ＤＳＰ（Ｄｉｇｉｔａｌ  Ｓｉｇｎａｌ  Ｐｒｏｃｅｓｓｏｒ）、ＯＭＡＰ（Ｏｐｅｎ  Ｍｕｌｔｉｍｅｄｉａ  Ａｐｐｌｉｃａｔｉｏｎ  Ｐｌａｔｆｏｒｍ）などを用いることができる。
【００３２】
無線送受信機４３０は、基地局３３０と電波を送受信しながら移動通信サービスを実行したり、ＭＯＢ＿ＳＬＰ＿ＲＥＱなどのメッセージを基地局３３０に送信したり、基地局３３０からＭＯＢ＿ＴＲＦ＿ＩＮＤなどのメッセージを受信したりする。
【００３３】
入力手段４４０は、ワイブロ端末機（またはモバイル端末機）４００に各種命令を下したり設定したりするための装置である。なお、入力手段４４０としては、キーパッド、タッチスクリーン、タッチパッド、および音声認識モジュールなどを１つ以上組み合わせて用いることができる。
【００３４】
出力手段４５０は、ワイブロ端末機（またはモバイル端末機）４００の設定や一定の情報を確認するために用いられる装置である。なお、出力手段としては、ワイブロ端末機（またはモバイル端末機）４００に備えられたＬＣＤ、有機ＬＥＤ、ＰＤＰ、ＬＥＤなどの視覚的出力手段、着信音、カラーリング、ＭＰ３などの多様な音楽を出力できるスピーカやイヤホンなどの聴覚的出力手段、および振動モータなどを用いた触覚的出力手段を少なくとも１つ以上用いることができる。
【００３５】
また、ワイブロ端末機（またはモバイル端末機）４００は、本発明で説明したワイブロ機能を採択しているＰＤＣ（Ｐｅｒｓｏｎａｌ  Ｄｉｇｉｔａｌ  Ｃｅｌｌｕｌａｒ）フォン、ＰＣＳ（Ｐｅｒｓｏｎａｌ  Ｃｏｍｍｕｎｉｃａｔｉｏｎ  Ｓｅｒｖｉｃｅ）フォン、ＰＨＳ（Ｐｅｒｓｏｎａｌ  Ｈａｎｄｙｐｈｏｎｅ  Ｓｙｓｔｅｍ）フォン、ＣＤＭＡ−２０００（１Ｘ、３Ｘ）フォン、ＷＣＤＭＡ（Ｗｉｄｅｂａｎｄ  ＣＤＭＡ）フォン、デュアルバンド／デュアルモード（Ｄｕａｌ  Ｂａｎｄ／Ｄｕａｌ  Ｍｏｄｅ）フォン、ＧＳＭ（Ｇｌｏｂａｌ  Ｓｔａｎｄａｒｄ  ｆｏｒ  Ｍｏｂｉｌｅ）フォン、ＭＢＳ（Ｍｏｂｉｌｅ  Ｂｒｏａｄｂａｎｄ  Ｓｙｓｔｅｍ）フォン、ＤＭＢ（Ｄｉｇｉｔａｌ  Ｍｕｌｔｉｍｅｄｉａ  Ｂｒｏａｄｃａｓｔｉｎｇ）フォン、スマート（Ｓｍａｒｔ）フォン、携帯電話などのような通信機能が含まれている携帯用機器、ＰＳＴＮ（ｐｕｂｌｉｃ  ｓｗｉｔｃｈｅｄ  ｔｅｌｅｐｈｏｎｅ  ｎｅｔｗｏｒｋ）端末機、ＶｏＩＰ（Ｖｏｉｃｅ  ｏｖｅｒ  Ｉｎｔｅｒｎｅｔ  Ｐｒｏｔｏｃｏｌ）、ＳＩＰ（Ｓｅｓｓｉｏｎ  Ｉｎｉｔｉａｔｉｏｎ  Ｐｒｏｔｏｃｏｌ）、ＭＧＣＰ（Ｍｅｄｉａ  Ｇａｔｅｗａｙ  Ｃｏｎｔｒｏｌ  Ｐｒｏｔｏｃｏｌ）、ＭＥＧＡＣＯ（Ｍｅｄｉａ  Ｇａｔｅｗａｙ  Ｃｏｎｔｒｏｌ）、ＰＤＡ（Ｐｅｒｓｏｎａｌ  Ｄｉｇｉｔａｌ  Ａｓｓｉｓｔａｎｔ）、ハンドヘルドＰＣ（Ｈａｎｄ−Ｈｅｌｄ  ＰＣ）、ノート型パソコン、ラップトップコンピュータ、ＭＰ３プレーヤ、ＭＤプレーヤなどのような携帯端末機、または国際ローミング（Ｒｏａｍｉｎｇ）サービスと拡張した移動通信サービスを提供するＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ−２０００）端末機、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）基盤の端末機などを含むすべての種類のハンドヘルド基盤の無線通信装置を意味する携帯用電気電子装置であって、ＣＤＭＡ（Ｃｏｄｅ  Ｄｉｖｉｓｉｏｎ  Ｍｕｌｔｉｐｌｅｘｉｎｇ  Ａｃｃｅｓｓ）モジュール、ブルートゥース（Ｂｌｕｅｔｏｏｔｈ）モジュール、赤外線通信モジュール（Ｉｎｆｒａｒｅｄ  Ｄａｔａ  Ａｓｓｏｃｉａｔｉｏｎ）、有無線ＬＡＮカード、およびＧＰＳ（Ｇｌｏｂａｌ  Ｐｏｓｉｔｉｏｎｉｎｇ  Ｓｙｓｔｅｍ）を介した位置追跡を可能にするためにＧＰＳチップが搭載された無線通信装置のような所定の通信モジュールを備えることができ、マルチメディア再生機能を実行することができるマイクロプロセッサを搭載することで一定の演算動作を実行することができる端末機を通称する概念として解釈される。
【００３６】
以上、本発明に係るスリープモードを決定するワイブロ端末機（またはモバイル端末機）について説明したが、図２の実施形態で上述した内容が本実施形態にもそのまま適用することができるため、詳細な内容は省略する。
【００３７】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【００３８】
〔産業上の利用可能性〕
上述したように、本発明に係るワイブロ端末機（またはモバイル端末機）では、基地局から送信されるプリアンブル信号の大きさを能動的に用いてスリープ周期を調整する端末機のスリープモード決定方法を提供することができるため、弱電界地域や通信環境が良好でない地域でも効果的かつ能動的に迅速に対処して安定的なデータサービスを用いることができるようにし、短いスリープ周期の利用によってバッテリ消耗量を減らすこともできる。
【図面の簡単な説明】
【００３９】
【図１】ワイブロ端末機（またはモバイル端末機）でスリープモードを決定する従来の方法を説明するためのフローチャートである。
【図２】本発明の一実施形態に係るワイブロ端末機（またはモバイル端末機）のスリープモードを決定する方法を説明するためのフローチャートである。
【図３】本発明の一実施形態に係るワイブロシステムを説明するための図である。
【図４】本発明の一実施形態に係るワイブロ端末機（またはモバイル端末機）の内部構造を説明するためのブロック図である。
【国際調査報告】
2009522842.tif 000007
2009522842.tif 000008